(57)【要約】      （修正有）【課題】シュシュの収納・保管できる数を増大させ、また、任意のシュシュの取り出し及び持ち運びに便利なシュシュホルダを提供する。【解決手段】布やビニールの単位紐体１の両端にナスカンやフックの連結可能なアジャスタの留め具を取り付けたものを、２ないし４本繋げる。それらに髪飾りのシュシュを通しループ状に連結させる。整然と並んでいるのでどの髪飾りも一目瞭然であり、アジャスタ２ａ、２ｂを脱着することにより必要なシュシュを取り出すことが出来る。また、１単位の単位紐体１として旅行・外出時持ち出す事も可能であり、用事が済んだ後も単位紐体１のアジャスタ部分を今までの物に繋げる事で簡単に収納完了出来る。また、もしシュシュが増えたとしてもこの単位紐体１の数を増やしていく事で対処出来、収納場所に困らず対応出来る。【選択図】図１
0003205598.tif 000002
【実用新案登録請求の範囲】
【請求項１】
複数のシュシュを挿通するループを形成するための紐体から成るシュシュホルダにおいて、前記紐体が分割された複数の単位紐体から構成され、該単位紐体の両端には相手側単位紐体と着脱自在の接続具を有することを特徴とするシュシュホルダ。
【請求項２】
前記紐体が相対的に細幅のバンド体であることを特徴とする請求項１に記載のシュシュホルダ。
【請求項３】
前記紐体が金属製チェーンであることを特徴とする請求項１に記載のシュシュホルダ。
【考案の詳細な説明】
【技術分野】
【０００１】  本考案は、髪を束ねる種々のシュシュを複数個挿通・保管し、また、挿通された任意のシュシュの取り出しを容易にしたシュシュホルダに関する。
【背景の技術】
【０００２】  花柄や水玉模様などきれいな色彩の布や素材を筒状にしその中にゴムを通し輪にした形状の髪飾り、これをシュシュという。ポニーテールや二つ縛りにした髪に服装や好みなどに合わせてシュシュを選択し着飾っている。
学生や、スポーツ界などで女性としてのお洒落や観ている人への視覚的な演出美の一つとして楽しませてくれる。
このため、勢いシュシュを多数所有することになり、その保管に苦労することにもなる。
【０００３】  一方、このようなシュシュを整理したり、保管・収納する用具・ホルダ等は、まだ余り普及されていないが、例えば特開２０１５−１８８７４４号には、次のようなものが開示されている。
すなわち、平板状の壁掛け具本体上に複数の半球状の突起を設け、この突起にシュシュが掛けられるようにしたものである。また、各家庭や外出先では空き箱や袋を利用してこれらの中に無造作に複数のシュシュを収納していた。
【先行技術文献】
【特許文献】
【０００４】
【特許文献１】特開２０１５−１８８７４４号  公報
【考案の概要】
【考案が解決しようとする課題】
【０００５】  以上に述べた従来のシュシュホルダでは、収納できるシュシュが係止具の数に制限されてしまう。また、空き箱や袋内に収納されたシュシュのうち、好みのものを取り出すに不便である。さらに特開２０１５−１８８７４４号に開示されたシュシュホルダでは、設置場所や設置スペースの制約を受ける難点があった。さらに単に空き箱や袋内に納めたものでは、下側にあるものを取り出すのに、場合によっては全部のシュシュを取り出してバラバラにした後、任意のものを選択し、またそれを戻さなければならないという不便があった。【０００６】  さらに、髪の装飾品の一つ一つのデザインは豊富でボリュームがあるものも増えおり、それらが先のように沢山になってくると従来のものでは収納場所の限界や、使用時に目的のシュシュを素早く取り出すのに不便であった。
【課題を解決するための手段】
【０００７】  本考案は、上記の点に鑑みてなされたもので、複数のシュシュを挿通するループを形成するための紐体から成るシュシュホルダにおいて、前記紐体が分割された複数の単位紐体から構成され、該単位紐体の両端には相手側単位紐体と着脱自在の接続具を有することを特徴とする。
これによりボリュームのあるもの、シンプルなデザインのもの等、様々のシュシュを多数個挿通・保管することができ、また、好みのものを取り出す場合には、取り出したい位置に近い単位紐体の接続具を外し、そこから簡単に好みのシュシュを素早く取り出すことができる。【０００８】  また、前記紐体が相対的に細幅のバンド体であることを特徴とする。これによりバンド部分にバックルタイプのシュシュを挟むことで手持ちのシュシュ全てが一目瞭然となる。【０００９】  さらに、前記紐体が金属チェーンであることを特徴とする。これにより強度が強くなるとともに、各シュシュの色彩や形状と相俟って全体として一種の装飾品となり部屋飾りなどの装飾効果をも期待し得る。
【考案の効果】
【００１０】  本考案は、上記のような構成したので、ボリュームのあるもの、シンプルなデザインのもの等、様々のシュシュを多数個挿通・保管することができ、また、好みのものを取り出す場合には、取り出したい位置に近い単位紐体の接続具を外し、そこから簡単かつ素早くに好みのシュシュを取り出すことができる。【００１１】  さらに、本考案のループを形成したシュシュホルダ全体をドアノブやフックに掛けられるので、場所を取らず、特別なスペースを必要しなくても良い。【００１２】  また、単位紐体を切り離すことで、旅行や外出時にいくつかのシュシュを簡便に持ち運ぶことができる。この場合、いわゆる単位紐体の両端部には、それぞれ接続具が設けてあるので、一つのミニ収納ホルダとしてループ状にすることができ、シュシュがバラバラにならずに簡便に持ち運ぶことができる。また、用事が済めば、再び両端の接続具により今までのように繋げる事で収納量を多くしたシュシュホルダとすることができる。
さらに、多色でしかもデザインの異なる多くのシュシュを収納した状態では、一種の装飾品としての効果があり、しゃれた部屋飾りとしても機能するものである。
【図面の簡単な説明】
【００１３】
【図１】本考案のシュシュの全体を示す斜視図である。
【図２】本考案の実施例を示し、髪飾りのシュシュ及びバレッタの収納時の斜視図である。
【図３】本考案の実施例を示し、当該シュシュをドアノブなどに掛けた状態の斜視図である。
【図４】本考案のシュシュを分割して単位紐体により構成した１単位の小シュシュホルダの斜視図である。
【考案を実施するための形態】
【００１４】  以下、本考案の実施形態を図１ないし図４に基づいて説明する。
これらの図において、１は布やビニール・皮・プラスチック・ゴム素材の紐状バンド（以下、単位紐体１という）であり、その単位紐体１の両端に脱着出来る接続具（以下、アジャスタという）、すなわち、凸状アジャスタ２ａと凹状アジャスタ２ｂとをそれぞれ単位紐体１の端部に、接続部品３を介して取り付ける。
上記のように構成の単位紐体１を、２ないし４個ループ状に連結させ、全体のシュシュホルダ１０とする（図１参照）。
【００１５】単位紐体１には、各種のシュシュ４ａを挿通し、また、髪の装飾品であるバレッタ４ｂを単位紐体１の適宜箇所に挟み込む（図２参照）。
【００１６】  上記のシュシュホルダ１０を図３に示すように、住宅ドア５のドアノブ６の取手やフック（図示せず）に掛けるなどして収納・保管する。
一方、目的のシュシュ４ａを取り出したい時は、シュシュホルダ１０を手に取り必要なシュシュ４ａを探し出し、一番近くにある部分のアジャスタ２ａ，２ｂの接続を解き、シュシュを手繰り・移動を調整しながら、目的とするシュシュ４ａを取り出す。
【００１７】  かかるシュシュ４ａの取り出し後は、再びアジャスタ２ａ，２ｂを連結させて、全体のシュシュホルダ１０とし、収納場所のドアノブ６やフックに戻す。
また、シュシュ４ａを数個外出時持ち出したい時には、単位紐体１の１つにシュシュ４ａを通した状態で小ループ状に連結させる事で容易に持ち出せて、用事が済めば、また元通りに全体のシュシュホルダ１０として整理良くシュシュを片付ける事が出来る（図４参照）。
【００１８】  本考案は上記のように構成したので、収納場所も特別必要としない事、髪飾りが増えても、単位紐体１を増やすことで対応出来るので、状況によって多機能・変幻自在にできるきわめて便利かつ体裁の良い収納具となっている。
【００１９】  また、単位紐体の部分に名前やメッセージを入れる事もでき、さらに、単位紐体として細幅のバンドや金属製チェーンとすることもでき、かかる場合には室内装飾品としての効果も発揮し得る。
【符号の説明】１          単位紐体
２ａ  ２ｂ  アジャスタ（接続具）
３          アジャスタ２ａ、２ｂを繋げるための接続部品
４ａ        シュシュ
４ｂ        バレッタ
５          住宅ドア
６          ドアノブ
１０  シュシュホルダ
【図１】
0003205598.tif 000003
【図２】
0003205598.tif 000004
【図３】
0003205598.tif 000005
【図４】
0003205598.tif 000006